(57)【要約】  【課題】  調理器の底部形状および誘導加熱コイルの出力状態に関係なく調理容器の底部の温度を確実に検出し精度の高い温度制御が可能な加熱調理機器を提供すること。  【解決手段】  被加熱調理機器具の温度を検出する第１の温度検出部４と、加熱部３に対して略対称形状に配置された第２の温度検出部５と、前記第１の温度検出部と前記第２の温度検出部にて検出される検出温度情報に基づき前記加熱部を制御する制御部６を設けた。【選択図】  図１
2005044647.tif 000002
【特許請求の範囲】
【請求項１】
電気絶縁物からなるプレート下に設けられた加熱部と、前記加熱部により熱せられた前記電気絶縁物からなるプレート上に置かれた被加熱調理機器の温度を検出する第１の温度検出部と第２の温度検出部と、前記加熱部の出力を制御する制御部とを備え、前記第１の温度検出部と前記第２の温度検出部は、前記加熱部の情報に配し、かつ、配置が加熱部の中心軸に対して略対称な位置に配し、前記第１と前記第２の温度検出部により検出される検出温度情報に基づき前記加熱部を制御する加熱調理機器。
【請求項２】
制御部は、加熱部による加熱を行い、第１の温度検出部にて検出される温度情報を優先的に認識し、前記第１の温度検出部の温度上昇が所定値以上にならなければ、第２の温度検出部にて検出する温度情報に基づき加熱部を制御する請求項１に記載の加熱調理機器。
【請求項３】
制御部は、加熱部による加熱を行い、第１の温度検出部にて検出される温度情報を優先的に認識し、前記第１の温度検出部の温度上昇が所定値以上にならなければ、第２の温度検出部にて検出される温度情報にのみ基づき加熱部を制御する請求項１に記載の加熱調理機器。
【請求項４】
第１の温度検出部と第２の温度検出部は、電気絶縁物からなるプレート下に設けた請求項１〜３のいずれか１項に記載の加熱調理機器。
【請求項５】
第１の温度検出部と第２温度検出部は、電気絶縁物からなるプレート下に密着させて設けた請求項１〜４のいずれか１項に記載の加熱調理機器。
【請求項６】
第２の温度検出部は、第１の温度検出部に比較しより広範囲の温度を検出できる形状とした請求項１〜５のいずれか１項に記載の加熱調理機器。
【発明の詳細な説明】
【技術分野】
【０００１】
本発明は、温度検出部に特徴を有する加熱調理機器に関するものである。
【背景技術】
【０００２】
従来、温度制御機能付き加熱調理機器は既に知られている（例えば、特許文献１参照）。これは、精度の高い温度制御を行うために被加熱調理機器のほぼ中央部の位置に２つの温度検知素子を配置したものである。
【特許文献１】特開平４−２０９２号公報
【発明の開示】
【発明が解決しようとする課題】
【０００３】
しかしこのような構成のものでは、２つの温度検知素子を配置しているものの、被加熱調理物のほぼ中央部に位置するため、例えば、被加熱調理機器の底形状が、中央部が内側に突出温度検知素子から離れる方向に突出したものでは、温度検出が不可能になるものであった。
【０００４】
本発明は、上記従来の課題を解決するもので、調理器の底部形状および誘導加熱コイルの出力状態に関係なく調理容器の底部の温度を確実に検出し精度の高い温度制御が可能な加熱調理機器を提供することを目的とする。
【課題を解決するための手段】
【０００５】
前記従来の課題を解決するために、本発明の加熱調理機器は、電気絶縁物からなるプレート下に設けられた加熱部と、前記加熱部により熱せられた前記電気絶縁物からなるプレート上に置かれた被加熱調理機器の温度を検出する第１の温度検出部と第２の温度検出部と、前記加熱部の出力を制御する制御部とを備え、前記第１の温度検出部と前記第２の温度検出部は、前記加熱部の情報に配し、かつ、配置が加熱部の中心軸に対して略対称な位置に配し、前記第１と前記第２の温度検出部により検出される検出温度情報に基づき前記加熱部を制御する加熱調理機器としたものである。これにより、所定の間隔で配置された第１の温度検出部と、第２の温度検出部との検出温度情報に基づき加熱部を制御することができ、被加熱調理物の底形状に関係なく、被加熱調理物の温度を確実に検出し精度の高い温度制御が可能となるものである。
【発明の効果】
【０００６】
以上のように、本発明の加熱調理機器によれば、加熱部に対し略対称形状で配置された２つの温度検出部により検出される検出温度の情報に基づき加熱部を制御するため被加熱調理機器の底形状に関係なく、被加熱調理物の温度を確実に検出し精度の高い温度制御が可能となるものである。
【発明を実施するための最良の形態】
【０００７】
請求項１に記載の発明は、特に、電気絶縁物からなるプレート下に設けられた加熱部と、前記加熱部により熱せられた前記電気絶縁物からなるプレート上に置かれた被加熱調理機器の温度を検出する第１の温度検出部と第２の温度検出部と、前記加熱部の出力を制御する制御部とを備え、前記第１の温度検出部と前記第２の温度検出部は、前記加熱部の情報に配し、かつ、配置が加熱部の中心軸に対して略対称な位置に配し、前記第１と前記第２の温度検出部により検出される検出温度情報に基づき前記加熱部を制御する加熱調理機器であり、前記第１の温度検出部と前記第２の温度検出部の配置が加熱部の形状に対して略対称形状であり、前記第１と前記第２の温度検出部により検出される検出温度情報に基づき前記加熱部を制御できる。そして第１と第２の温度検知部で温度検知し過昇防止抑制するため、精度の高い温度制御ができる。
【０００８】
請求項２に記載の発明は、特に、制御部は、加熱部による加熱を行い、第１の温度検出部にて検出される温度情報を優先的に認識し、前記第１の温度検出部の温度上昇が所定値以上にならなければ、第２の温度検出部にて検出する温度情報に基づき加熱部を制御することでより精度の高い温度制御ができる。
【０００９】
請求項３記載の発明は、制御部は、加熱部による加熱を行い、第１の温度検出部にて検出される温度情報を優先的に認識し、前記第１の温度検出部の温度上昇が所定値以上にならなければ、第２の温度検出部にて検出される温度情報にのみ基づき加熱部を制御することで接触の悪い第１の温度検出部に左右されず更に精度の高い制御ができる。
【００１０】
請求項４記載の発明は、特に、第１の温度検出部と第２の温度検出部は、電気絶縁物からなるプレート下に設けた請求であることにより温度検出部がプレートでカバーされ精度の高い温度制御が可能となるものである。
【００１１】
請求項５記載の発明は、請求項１の構成に加えて第１の温度検出部と第２温度検出部は、電気絶縁物からなるプレート下に密着させて設けた請求項１〜４のいずれかに記載の加熱調理機器とすることにより温度検出部がプレートでカバーされるとともに確実に温度検出し精度の高い温度制御が可能となるものである。
【実施例１】
【００１２】
以下本発明の一実施例について、図面を参照しながら説明する。
【００１３】
（実施例１）
図に示すように加熱調理機器は、鍋などの被加熱調理物１を載置するガラスプレートなどの電気絶縁物からなるプレート２とこのプレート２の下に位置して設けられた誘導加熱コイルからなる加熱部３と、この加熱部３により加熱された被加熱調理機器１の温度を検出する第１の温度検出部４と、第１の温度検出部４から加熱部３に対し略対称形状で配置された第２の温度検出部５と、前記第１と第２の温度検出部４、５にて検出される検出温度情報に基づき加熱部３を制御する制御部６を備えたものである。
【００１４】
上記構成の加熱調理機器は加熱部３の高周波電流により発生する誘導磁界で被加熱調理物１が発熱し、その内部の調理物が調理されるものである。ここで制御部６は第１の温度検出部４にて検出される温度情報を優先的に認識して加熱部３の温度制御を行い、前記第１の温度検出部４にて加熱部３に加熱入力を継続し、温度上昇があらかじめ定められた初期値以下であれば、第２の温度検出部５にて検出する温度情報に基づき加熱部３を制御すようになっているものである。
【００１５】
このように、所定の間隔で配置された第１の温度検出部４と第２の温度検出部５との検出温度情報に基づき加熱部３を制御するため、被加熱調理物１の底形状が平坦でなくてとも底形状に関係なく被加熱調理物１の温度を確実に検出し精度の高い温度制御が可能となるものである。
【００１６】
なお制御部６は、第１の温度検出部４にて検出される温度情報を優先的に認識し加熱部３の温度制御を行い、前記第１の温度検出部４にて加熱部３に加熱入力を継続し温度上昇が所定値以下であれば前記第１の温度検出部４からの温度情報を無視し、第２の温度検出部５にて検出される温度情報にのみ基づき加熱部３を制御するようにすることもでき、より精度の高い温度制御ができる。
【００１７】
また、図に示すように、温度検出部４、５は加熱部３の中央に対し略対称形状に配置し、被加熱調理物１の底形状に関係なく、被加熱調理物１の温度をさら確実に検出し精度の高い温度制御が可能となるものである。
【００１８】
また、第１の温度検出部４と第２の温度検出部５は、電気絶縁物からなるプレート下２に設けることにより温度検出部４、５の検出を阻害することがなく、精度の高い温度制御が可能となる。
【００１９】
また、第１の温度検出部と４第２温度検出部５は、電気絶縁物からなるプレート２下に密着させて設けることにより、確実に温度検出し、精度の高い温度制御が可能となるものである。
【００２０】
さらに、第２の温度検出部をより広範囲の温度情報が得られるようにすることにより、さらに精度の高い温度制御が可能となる。
【図面の簡単な説明】
【００２１】
【図１】本発明の実施例１における加熱調理機器の要部断面図
【符号の説明】
【００２２】
１  被加熱調理物
２  プレート
３  加熱部
４  第１の温度検出部
５  第２の温度検出部
６  制御部
【図１】
2005044647.tif 000003